(57)【要約】【課題】施工性が良好かつ構造が簡単で安価な鉄筋用スペーサを提供する。【解決手段】斜面部にカギ部２２ｃを持つデッキプレート２２を用いて床版を構築する際に、敷設したデッキプレート上に配置する鉄筋２３を支持する鉄筋用スペーサ２１であって、Ｕ字形の鉄筋受け部２６と、両側の脚部２７ａ、２７ｂと、各脚部の下端から互いに反対側に延びる水平な載置部２９ａ、２９ｂと、各載置部の端部に設けられたグリップ片部３０とからなる。グリップ片部３０は、先端部がカギ部２２ｃに係合してデッキプレートの山部を弾性的に挟持する。１本の鉄線を屈曲成形して製造できるので安価に製造できる。両側のグリップ片部３０の先端部がデッキプレートのカギ部２２ｃに弾性的に係合するので安定で容易に倒れない。鉄筋２３ａをデッキプレート上に配置した後にスペーサ２１を後付けすることができ、その作業は１人でできるので、施工性がよい。【選択図】図６
2007162433.tif 000002
【特許請求の範囲】
【請求項１】
山部両側の斜面部にそれぞれ内側に屈曲した１対のカギ部を持つ断面形状のデッキプレートを敷設し鉄筋を配置しコンクリートを打設する際に、敷設したデッキプレート上に配置する鉄筋を支持する鉄筋用スペーサであって、
上から見て概ねＵ字形をなすとともにそのＵ字形の両上端を結ぶ線がデッキプレート長さ方向と略平行でありかつそのＵ字形の底部が低くなるように傾斜した鉄筋受け部と、
前記鉄筋受け部のＵ字形の両上端からそれぞれ立ち下がる脚部と、
前記各脚部の下端から、デッキプレート上面に載って互いに反対側の山部端に延びる水平な載置部と、
各載置部の端からそれぞれ下向きに折れ曲がりかつ先端部が前記カギ部に係合するためのグリップ片部とを備え、山部の上部を当該鉄筋用スペーサにより左右両側から弾性的にグリップしたことを特徴とする鉄筋用スペーサ。
【請求項２】
前記鉄筋用スペーサ全体が１本の金属線材を屈曲形成してなり、
前記グリップ片部は、前記カギ部に沿ってデッキプレート長さ方向に延びる安定部を備え、該安定部の延びる方向は、当該鉄筋用スペーサをデッキプレートの山部に取り付けた時に、両側のグリップ片部間隔が拡がることで当該鉄筋用スペーサに発生する山部上面に垂直な軸回りの回転モーメントに対向する向きに形成されていることを特徴とする請求項１記載の鉄筋用スペーサ。
【請求項３】
前記鉄筋受け部が山部の幅方向中央位置より端側に偏位していることを特徴とする請求項１又は２記載の鉄筋用スペーサ。
【請求項４】
前記鉄筋受け部のＵ字形の底部が偏位方向の山部の端側にあることを特徴とする請求項３記載の鉄筋用スペーサ。
【請求項５】
前記の山部幅方向両側の載置部が概ね互いに平行であり、かつ、上面から見て山部幅方向に対して傾斜していることを特徴とする請求項２〜４のいずれかに記載の鉄筋用スペーサ。
【請求項６】
前記の山部幅方向両側の載置部が概ね互いに平行であり、上面から見て山部幅方向と平行であり、かつ、前記安定部が鉄筋受け部側に延びていることを特徴とする請求項２〜４のいずれかに記載の鉄筋用スペーサ。
【請求項７】
前記鉄筋受け部のＵ字形の垂直方向の深さ寸法ｈが鉄筋径の少なくとも１．５倍以上であることを特徴とする請求項１〜６記載の鉄筋用スペーサ。
【請求項８】
前記鉄筋受け部のＵ字形が、その上端開口部内法寸法ｍが鉄筋径ｄより若干狭く、底部側内法寸法ｎが鉄筋径ｄより若干広くなっていることを特徴とする請求項１〜７のいずれかに記載の鉄筋用スペーサ。
【発明の詳細な説明】
【技術分野】
【０００１】
この発明は、山部両側の斜面部にそれぞれ内側に屈曲した１対のカギ部を持つ断面形状のデッキプレートを敷設し鉄筋を配置しコンクリートを打設する際に、敷設したデッキプレート上に配置する鉄筋を支持する鉄筋用スペーサに関する。
【背景技術】
【０００２】
型枠として敷設したデッキプレート上に鉄筋を配置しコンクリートを打設して床を構築する際、鉄筋のデッキプレート上面からの高さ位置を確保するために、一般に、デッキプレート上に鉄筋用スペーサ（以下スペーサと略す）を配置し、このスペーサに鉄筋を載せて、コンクリートを打設することが行われている。
【０００３】
この場合、デッキプレート上に配置する補助的な鉄筋として一般に溶接金網が用いられているが、溶接金網をデッキプレート上に配置する際、溶接金網のデッキプレート上面からの高さ位置を確保するために、前記と同様にデッキプレート上にスペーサを配置しこのスペーサ上に溶接金網を載せる。
この種のスペーサとして種々のものがあるが、簡単なものとして、コンクリートやプラスチック等の単なる小ブロックであるスペーサブロックが用いられている。この場合、デッキプレート上に溶接金網を敷き並べた後、この溶接金網の下にスペーサブロックを置くことで、デッキプレートと溶接金網の間隔を確保する。
なお、溶接金網は、コンクリートのひび割れ防止が主な目的であり、構造部材として機能する狭義の「鉄筋」でないが、溶接金網を構成する鉄線等のようないわば補助的な鉄筋も鉄筋と呼ぶ。
【０００４】
また、前記スペーサブロックと同様にデッキプレート上に単に置くスペーサとして、金属線材を加工して、溶接金網とスペーサとが噛み合って簡単に外れないように工夫したものもある（特許文献１、２）。
特許文献１のスペーサ１は、図１１に示すように、凸部２ａの両側に水平部２ｂを持つ形状に屈曲させた２本の脚材２の上部間に、中央に隆起部３ａを形成した２本の連結材３を溶接固定した構造であり、鉄筋（溶接金網を構成する鉄線）４を２本の連結材３間に押し込んで凸部２ａの上端に載せる。その時、２本の連結材３の隆起部３ａ間が狭くされていることで、鉄筋４の外れ防止が図られる。
特許文献２のスペーサ５は、図１２（イ）、（ロ）に示すように、１本の金属線材を複雑に屈曲させて、三角形状の脚部６の上部に鉄筋４を載せる支承部７及び鉄筋４を挟み付ける挟付部８を形成した構造であり、鉄筋４を両側の挟付部８間に押し込んで支承部７に載せる。その時、両側の挟付部８間が狭くされていることで、鉄筋４の外れ防止が図られる。このスペーサ５は、溶接金網に予め取り付けておき、スペーサ５を取り付けた溶接金網をデッキプレート上に敷設する。
【０００５】
また、金属線材を加工したスペーサとして、デッキプレートの断面形状を利用してデッキプレートに固定する構造のスペーサ（特許文献３）もある。
特許文献３のスペーサ１０は、図１３に示すように、凸部１１ａの両側に水平部１１ｂを持ちその先端に係合部１１ｃを持つ２本の脚材１１の前記凸部１１ａ間に、直線状の支承バー１２を溶接固定した構造であり、スペーサ１０をデッキプレート形状を利用してデッキプレートに固定した後、溶接金網の鉄筋（鉄線）４を支承バー１２に載せるようにして敷き並べ、番線でスペーサ１０を鉄筋４に固定する
【０００６】
また、溶接金網でなく狭義の鉄筋の場合であるが、図１４に示したスペーサ１３のように、１本の金属線材を屈曲させて、鉄筋１４に巻き付くような形の螺旋環状部１５及びその両側の門形の脚部１６を形成した構造のものもある（特許文献４）。
特許文献４のスペーサ１３は、予めその螺旋環状部１５を鉄筋に挿入した後に、鉄筋を配置する。
【特許文献１】特許第３２７７２４２号
【特許文献２】実用新案登録第３０９５８８１号
【特許文献３】特公平６−５４０５３
【特許文献４】特許第２６４９１４１号
【発明の開示】
【発明が解決しようとする課題】
【０００７】
上記従来の単なる小ブロックであるスペーサブロックは、安価であるが、スペーサーが簡単に鉄筋から外れるので溶接金網の固定ができず、デッキプレートと溶接金網の間隔が一定しない恐れがあり、かぶり厚さが不適切となってコンクリートにクラックが発生する原因となりかねない。
【０００８】
特許文献１のスペーサ１は４本の金属線材の屈曲及び溶接加工を必要とするので、製作が煩雑であり、部材コストが高くなる。
また、特許文献１のスペーサ１あるいは特許文献２のスペーサ５は、鉄筋４からは簡単に外れないが、溶接金網の浮き上がりや横移動は防止できないので、作業者が溶接金網の上に載って歩くと溶接金網がずれ動いてしまう。
【０００９】
特許文献３のスペーサ１０は、スペーサ１０を設置後、溶接金網を複数人で持ち上げて敷き並べ、番線で固定する必要があるので、施工手間が掛かる。
【００１０】
特許文献４のスペーサ１３は、スペーサ１３の環状部１５に鉄筋を挿入することで、鉄筋に取り付けるのであるから、適用される鉄筋の外径は狭い範囲に制限される。
【００１１】
一般に、鉄筋をスペーサで支持してデッキプレート上に配置するに際して、鉄筋の配置作業を能率的に行えることが望まれる。また、スペーサを設置する際に、スペーサがみだりに移動したり倒れたりせずに安定であることが望まれる。また、鉄筋を配置した後にその上に人が乗ることもしばしばあるので、人が乗る場合でも安定であることが望まれる。また、鉄筋の位置がどのような位置にあっても、スペーサがそれを支持できることが望まれる。また、スペーサの構造が簡単で生産性が高く安いコストで製造できることが望まれる。
山部両側の斜面部にカギ部を持つデッキプレートに適用されるスペーサとして、これらの要求を満たすものが望まれているが、上記の各スペーサはそれぞれに長所があっても全体として満足できるものではない。
【００１２】
本発明は上記従来の欠点を解消するためになされたもので、鉄筋用スペーサ設置作業及び鉄筋の配置作業の施工性が良好であり、デッキプレート上で安定して鉄筋を支持することができ、支持すべき鉄筋の位置に不都合なく対応することができ、さらに構造が簡単で生産性が高く安いコストで製造できる鉄筋用スペーサを提供することを目的とする。
【課題を解決するための手段】
【００１３】
上記課題を解決する請求項１の発明は、山部両側の斜面部にそれぞれ内側に屈曲した１対のカギ部を持つ断面形状のデッキプレートを敷設し鉄筋を配置しコンクリートを打設する際に、敷設したデッキプレート上に配置する鉄筋を支持する鉄筋用スペーサであって、
上から見て概ねＵ字形をなすとともにそのＵ字形の両上端を結ぶ線がデッキプレート長さ方向と略平行でありかつそのＵ字形の底部が低くなるように傾斜した鉄筋受け部と、
前記鉄筋受け部のＵ字形の両上端からそれぞれ立ち下がる脚部と、
前記各脚部の下端から、デッキプレート上面に載って互いに反対側の山部端に延びる水平な載置部と、
各載置部の端からそれぞれ下向きに折れ曲がりかつ先端部が前記カギ部に係合するためのグリップ片部とを備え、山部の上部を当該鉄筋用スペーサにより左右両側から弾性的にグリップしたことを特徴とする。
【００１４】
請求項２は、請求項１の鉄筋用スペーサにおいて、
前記鉄筋用スペーサ全体が１本の金属線材を屈曲形成してなり、グリップ片部は、前記カギ部に沿ってデッキプレート長さ方向に延びる安定部を備え、該安定部の延びる方向は、当該鉄筋用スペーサをデッキプレートの山部に取り付けた時に、両側のグリップ片部間隔が拡がることで当該鉄筋用スペーサに発生する山部上面に垂直な軸回りの回転モーメントに対向する向きに形成されていることを特徴とする。
【００１５】
請求項３は、請求項１又は２の鉄筋用スペーサにおいて、鉄筋受け部が山部の幅方向中央位置より端側に偏位していることを特徴とする。
【００１６】
請求項４は、請求項３の鉄筋用スペーサにおいて、鉄筋受け部のＵ字形の底部が偏位方向の山部の端側にあることを特徴とする。
【００１７】
請求項５は、請求項２〜４の鉄筋用スペーサにおいて、山部幅方向両側の載置部が概ね互いに平行であり、かつ、上面から見て山部幅方向に対して傾斜していることを特徴とする。
【００１８】
請求項６は、請求項２〜４の鉄筋用スペーサにおいて、山部幅方向両側の載置部が概ね互いに平行であり、上面から見て山部幅方向と平行であって、かつ、前記安定部が鉄筋受け部側に延びていることを特徴とする。
【００１９】
請求項７は、請求項１〜６の鉄筋用スペーサにおいて、鉄筋受け部のＵ字形の垂直方向の深さ寸法ｈが鉄筋径の少なくとも１．５倍以上であることを特徴とする。
【００２０】
請求項８は、請求項１〜７の鉄筋用スペーサにおいて、鉄筋受け部のＵ字形が、その上端開口部内法寸法ｍが鉄筋径ｄより若干狭く、底部側内法寸法ｎが鉄筋径ｄより若干広くなっていることを特徴とする。
【発明の効果】
【００２１】
請求項１の鉄筋用スペーサ（以下、場合により単にスペーサという）は、金属線材を単に、底部が低くなるように傾斜したＵ字形に屈曲させることで鉄筋受け部を形成できるので、製作が容易であり、コストが安くなる。
また、鉄筋受け部がＵ字形であるから、Ｕ字形の深さを例えば請求項７のようにある程度深くすることで、鉄筋が外れる恐れは少なくなる。この場合、請求項８のように、鉄筋受け部のＵ字形を、その上端部を鉄筋径より若干狭く、底部側を鉄筋径より若干広くすることで、このＵ字形に押し込んだ鉄筋は容易に外れなくなる。
このため、例えば鉄筋として溶接金網を用いる場合であれば、デッキプレート上に溶接金網を敷き並べた後に、溶接金網の所望の箇所を持ち上げて、スペーサを溶接金網に取り付けることができる。すなわち、スペーサの後付けが可能である。敷き並べた後の溶接金網の持ち上げは一人で行えるので、施工性がよい。
前記の通り、事前にスペーサを溶接金網に取り付けないので、溶接金網の敷き並べ作業に際して引っ掛かり部（スペーサのこと）がない点でも、敷き並べ作業がし易く作業性がよい。
また、スペーサの両側のグリップ片部が、その先端部がデッキプレートの両側の斜面部のカギ部に係合した状態で、両側から山部の上部を弾性的にグリップするので、スペーサはデッキプレートの山部にしっかり取り付けられ、みだりに移動することはない。
上記のように、スペーサがデッキプレートのカギ部に係合してしっかり取り付けられ、また、鉄筋がスペーサのＵ字形の鉄筋受け部から容易に外れる恐れはないので、施工後その上を人が歩いたりしても、溶接金網パネルがずれ動いたりすることはない。
また、鉄筋受け部のＵ字形の向きがデッキプレートの山部幅方向であり山部幅方向の鉄筋を受ける構造であるから、山部幅方向の鉄筋がどの位置に配列されてもスペーサを山部の長さ方向の支持すべき位置に取り付けて対応することができる。すなわち、仮にデッキプレート長さ方向の鉄筋を支持する構造であるとすれば、鉄筋が谷部に位置する場合もあるので、その場合に対応できないが、そのような問題は生じない。
【００２２】
請求項２によれば、１本の金属線材を屈曲してなり、溶接のない構造なので生産性が高く極めて安価に製造できる。
また、スペーサ両側のグリップ片部が、カギ部に沿ってデッキプレート長さ方向に延びる安定部を持つので、鉄筋受け部あるいは脚部にデッキプレート長さ方向の力が作用しても、安定部がその力に抗することができ、スペーサは倒れに対して極めて安定である。また、安定部がデッキプレートのカギ部に容易に外れないように係合するので、スペーサはデッキプレートに確実に固定される。
また、安定部の延びる方向が、当該鉄筋用スペーサをデッキプレートの山部に取り付けた時に、両側のグリップ片部間隔が拡がることで当該鉄筋用スペーサに発生する山部上面に垂直な軸回りの回転モーメントに対向する向きに形成されていることで、安定部の倒れ防止作用が有効に機能する。
【００２３】
請求項３によれば、鉄筋受け部が山部の幅方向中央位置より端側に偏位しているので、鉄筋受け部が、当該スペーサが支持する鉄筋と直交する配置の鉄筋と干渉する恐れがある時は、スペーサをデッキプレート幅方向の逆向きに取り付けることで、その干渉を簡単に回避できる。
なお、鉄筋受け部を偏位させるに際しては、請求項４のように、鉄筋受け部のＵ字形の底部が偏位方向の山部の端側にあるようにするとよい。これにより、当該スペーサが支持する鉄筋と直交する配置の鉄筋との干渉を確実に回避できる。
【００２４】
請求項５よれば、山部幅方向両側の載置部が、概ね互いに平行であり、かつ、上面から見て山部幅方向に対して傾斜しているので、載置部のデッキプレート長さ方向の寸法が大となり、スペーサは、鉄筋受け部に作用したデッキプレート長さ方向の力に対して安定、すなわち倒れに対して安定である。
請求項６によれば、山部幅方向両側の載置部が概ね互いに平行であり、かつ、上面から見て山部幅方向と平行なので、形状が単純で製作も容易であり、倒れに対する安定性のために載置部を請求項５のように傾斜させる必要がない場合には、有効である。
【００２５】
鉄筋受け部のＵ字形の深さを例えば請求項７のようにある程度深くすることで、鉄筋が外れる恐れは少なくなる。この場合、請求項８のように、鉄筋受け部のＵ字形を、その上端部を鉄筋径より若干狭く、底部側を鉄筋径より若干広くすることで、このＵ字形に押し込んだ鉄筋は容易に外れなくなる。
【発明を実施するための最良の形態】
【００２６】
以下、本発明の鉄筋用スペーサの実施例を、図１〜図１０参照して説明する。
【実施例１】
【００２７】
図１は本発明の一実施例の鉄筋用スペーサ（以下、単にスペーサと略す）２１の正面図、図２は同平面図、図３は同右側面図、図４は斜視図、図５は前記スペーサ２１を用いてデッキプレート２２上に溶接金網２３を配置した状態を示す斜視図、図６は図５の要部の拡大図、図７は図５のＡ矢視拡大図である。
【００２８】
この実施例のスペーサ２１は、図５、図７のような断面形状のデッキプレート２２上に溶接金網２３を配置しコンクリートを打設する際に用いるスペーサである。すなわち、このデッキプレート２２は、山部２２ａの両側の斜辺部２２ｂの中間高さ位置にそれぞれ内側に屈曲したカギ部２２ｃを持つ断面形状のデッキプレートである。また、図示例のデッキプレート２２は３山（山部２２ａが３つ）であり、両端部には敷き並べる際に隣接するもの同士を係合させる係合部２２ｄ、２２ｅを持つ。また、山部２２ａの中央に浅い溝２２ｆを持ち、谷部２２ｇの中央に凸状２２ｈを持つ。
また、溶接金網２３は多数本の鉄筋２３ａを例えば縦横１５０ｍｍ間隔の格子状に溶接したものであり、その１枚のサイズは例えば１．２ｍ×２．４ｍなどである。なお、前述の通り、溶接金網は、構造部材として機能する狭義の「鉄筋」でないが、溶接金網を構成する鉄線も鉄筋と呼ぶ。
【００２９】
実施例のスペーサ２１は、１本の例えば鉄線などの金属線材を屈曲加工してなるもので、上から見て概ねＵ字形をなすとともにそのＵ字形の両上端を結ぶ線がデッキプレート長さ方向と略平行（図２で上下方向）でありかつそのＵ字形の底部が低くなるように傾斜（図１の正面図で見て傾斜）した鉄筋受け部２６と、前記鉄筋受け部２６のＵ字形の両上端からそれぞれ立ち下がる脚部２７ａ、２７ｂと、前記各脚部２７ａ、２７ｂの下端から、デッキプレート２２の上面に載って概ね山部幅方向のそれぞれ反対側に延びる水平な載置部２９ａ、２９ｂと、各載置部２９ａ、２９ｂの端からそれぞれ下向きに折れ曲がりかつ先端部が前記カギ部２２ｃに係合するためのグリップ片部３０とを備えた構造であり、そして、山部の上部を当該鉄筋用スペーサのグリップ片部３０により左右両側から弾性的にグリップしてデッキプレート２２に取り付けられ、溶接金網２３を構成する鉄筋２３ａを前記鉄筋受け部２６のＵ字形部２６ａで受ける構造である。
前記グリップ片部３０は、各載置部２９ａ、２９ｂの端からそれぞれ斜め下向きに折れ曲がって山部２２ａの両側の斜面部２２ｂに沿う斜め部３０ａとこの斜め部３０ａの下端から前記カギ部２２ｃに係合するように屈曲した内向き部３０ｂとこの内向き部３０ｂの下端からカギ部２２cに沿ってデッキプレート長さ方向（図２で上下方向）に延びる安定部３０ｃとからなっている。この実施例の安定部３０ｃは、載置部２９a、２９ｂの傾斜方向と反対側に延びている。すなわち、図示の場合、図２で上側に傾斜している一方の載置部２９ａ側の安定部３０ｃは下向きに延び、下側に傾斜している他方の載置部２９ｂ側の安定部３０ｃは上向きに延びている（載置部２９ａ、２９ｂと安定部３０ｃのなす角が鋭角である）。
【００３０】
また、この実施例のスペーサ２１は、Ｕ字形の鉄筋受け部２６が図１にも示すように、デッキプレート２２の山部２２ａの幅方向中央位置より端側（図１、図２では右端側）に偏位しており、かつ、そのＵ字形の向きは、Ｕ字形の底部２６ａが開口２６ｂ側に対して鉄筋受け部２６の偏位方向にある向きである（すなわち、図１、図２で底部２６aが右に向いている）。
また、図３及びその要部を拡大した図８に示すように、実施例のスペーサ２１の鉄筋受け部２６のＵ字形の形状は、その垂直方向の深さ寸法ｈを鉄筋径ｄより十分大きくし、かつ、その上端開口部内法寸法ｍは鉄筋径ｄより若干狭く、底部側内法寸法ｎは鉄筋径ｄより若干広くしている。Ｕ字形の垂直方向の深さ寸法ｈは、後述するように、鉄筋径ｄの少なくとも１．５倍以上であることが好ましい。
また、この実施例のスペーサ２１は、図３にも示すように、両側の脚部２７ａ、２７ｂがデッキプレートの山部幅方向から見て下広がり状に傾斜している。
また、このスペーサ２１の山部幅方向両側の載置部２９ａ、２９ｂは、図２にも示すように、概ね互いに平行であり、かつ、上面から見て山部幅方向に対して傾斜している。この実施例の場合は、各載置部２９ａ、２９ｂは上面から見て山部幅方向に対してそれぞれの脚部２７ａ、２７ｂのある側と反対側に傾斜している。すなわち、一方の載置部２９ａは相手側の脚部２７ｂのある側に傾斜（図２で上側に傾斜）しており、他方の載置部２９ｂはやはり相手側の脚部２７ａのある側に傾斜（図２で下側に傾斜）している。
【００３１】
上記のスペーサ２１を用いてデッキプレート２２上に溶接金網２３を配置する場合、先に溶接金網２３をデッキプレート２２に直接載せて敷き並べる。次いで、溶接金網２３の適宜箇所にて溶接金網２３を持ち上げ、その下でデッキプレート２２にスペーサ２１を取り付け、溶接金網２３の鉄筋２３ａをスペーサ２１の鉄筋受け部２６の鉄筋径より狭い開口部２６ｂに載せ足で踏む等して押し込むと、鉄筋２３ａは鉄筋保持部２６のＵ字形の底部２６ａに押し込まれて支承され所定の高さに位置決めされる。この場合、鉄筋保持部２６の開口部２６ｂ側が鉄筋径より狭いので、容易に抜けない状態で支承される。デッキプレート２２にスペーサ２１を取り付けるのは、スペーサ２１の両側のグリップ片部３０をデッキプレート２２の山部２２ａに合わせて置き押し込むと、両側のグリップ片部３０が線材の弾性により一旦開いた後閉じることで、先端の安定部３０ｃがデッキプレート２２のカギ部２２ｃに嵌合し、スペーサ２１が固定される。
【００３２】
上記のスペーサ２１は、鉄線等の金属線材を単に、底部２６ａが低くなるように傾斜したＵ字形に屈曲させることで鉄筋受け部２６を形成できるので、製作が容易であり、コストが安くなる。
また、鉄筋受け部２６のＵ字形底部２６ａ側部分で鉄筋２３ａを支持すると同時に、両側の脚部２７ａ、２７ｂが鉄筋２３ａの方向をある程度拘束するので、鉄筋長さ方向の２箇所（図１でＭ位置とＮ位置の２箇所）で保持することになり、鉄筋２３ａを安定して支持することができる。
また、前述の通り、Ｕ字形の鉄筋受け部２６のＵ字形の深さｈが深く、かつ、Ｕ字形の上端開口部内法寸法ｍを鉄筋径ｄより若干狭く、底部側内法寸法ｎを鉄筋径ｄより若干広くしているので、このＵ字形に押し込んだ鉄筋２２は容易に外れない。
このため、実施例のように鉄筋として溶接金網２３を用いる場合、デッキプレート２２上に溶接金網２３を敷き並べた後に、溶接金網２３の所望の箇所を持ち上げて、スペーサ２１を溶接金網２３に取り付けることができる。すなわち、スペーサ２１の後付けが可能である。溶接金網２３をデッキプレート２２上に敷き並べる作業は通常２人で行う必要はあるが、その後のスペーサ設置作業、すなわちスペーサ２１で溶接金網２３の高さを確保する作業（スペーサの後付け）は１人で行うことができるので、施工性は良好である。
前記の通り、事前にスペーサ２１を溶接金網２３に取り付けないので、溶接金網２３の敷き並べ作業に際して引っ掛かり部（スペーサのこと）がない点でも、敷き並べ作業がし易く作業性がよい。
また、スペーサ２１の両側のグリップ片部３０は、その先端側の安定部３０ｃがデッキプレート２２の山部両側のカギ部２２ｃに係合した状態で、両側から山部２２ａの上部を弾性的にグリップ（挟持）するので、スペーサ２１はデッキプレート２２の山部２２ａにしっかり取り付けられ、みだりに移動することはない。
上記のように、スペーサ２１は、その安定部３０ｃがデッキプレート２２のカギ部２２ｃに容易に外れないように係合してしっかり取り付けられ、また、鉄筋２３がスペーサ２１のＵ字形の鉄筋受け部２６から容易に外れる恐れはないので、施工後その上を人が歩いたりしても、溶接金網パネル２３がずれ動いたりすることはない。
また、鉄筋受け部２６のＵ字形の向きがデッキプレート２２の山部幅方向であり山部幅方向の鉄筋２３ａを受ける構造であるから、鉄筋配列ピッチへの対応上適切である。すなわち、仮にデッキプレート長さ方向の鉄筋を支持する構造であるとすれば、鉄筋が谷部２２ｇに位置する場合（すなわち、図７で２３ａ’で示した鉄筋）もあるので、その場合に対応できないが、そのような問題は生じない。
【００３３】
また、このスペーサ２１は、1本の金属線材を屈曲して製作することができ、溶接のない構造なので生産性が高く極めて安価に製造できる。
また、スペーサ両側のグリップ片部３０が、カギ部２２ｃに沿ってデッキプレート長さ方向に延びる安定部３０ｃを持つので、鉄筋受け部２６あるいは脚部２７ａ、２７ｂにデッキプレート長さ方向の力が作用しても、安定部３０ｃがその力に抗することができ、スペーサ２１は倒れに対して極めて安定である。また、安定部３０ｃがデッキプレートのカギ部２２ｃに容易に外れないように係合するので、スペーサ２１はデッキプレート２２に確実に固定される。
【００３４】
また、このスペーサ２１は、鉄筋受け部２６が山部２２ａの幅方向中央位置より端側に偏位しているので、鉄筋受け部２６が、当該スペーサ２１が支持する鉄筋２３ａと直交する配置の鉄筋と干渉する恐れがある時は、スペーサ２１をデッキプレート幅方向の逆向きに取り付ける（図７でスペーサ２１の左右の向きを逆に取り付ける）ことで、その干渉を簡単に回避できる。
また、鉄筋受け部２６の向きが、Ｕ字形の底部２６ａが開口２６ｂ側に対して鉄筋受け部の偏位方向にある向きなので、当該スペーサ２１が支持する鉄筋２３ａと直交する配置の鉄筋との干渉を確実に回避できる。
【００３５】
また、両側の脚部２７ａ、２７ｂがデッキプレートの山部幅方向から見て下広がり状に傾斜しているので、スペーサ２１は、鉄筋受け部２６に作用したデッキプレート長さ方向の力に対して安定、すなわち倒れに対して安定である。
この実施例のようにＵ字形の鉄筋受け部２６の上端部開口内法寸法ｍを狭くして鉄筋抜け防止を図った場合、両側の脚部２７ａ、２７ｂが垂直であれば、脚部間隔が狭く、鉄筋２３ａが両脚部２７ａ、２７ｂで弾性的に挟持された状態となる。このため、Ｕ字形の鉄筋受け部２６の底部２６ａに載った鉄筋２３ａのデッキプレート長さ方向の配置誤差、あるいは、Ｕ字形の鉄筋受け部２６の製作誤差等に対応できない場合も考えられる。しかし、両側の脚部２７ａ、２７ｂが下広がりであり鉄筋通過位置の間隔（概ね図８の寸法ｍと同程度）が広いので、上記の各種誤差等に容易に対応できる。
【００３６】
また、山部幅方向両側の載置部２９ａ、２９ｂが、概ね互いに平行であり、かつ、上面から見て山部幅方向に対して傾斜しているので、載置部全体としてデッキプレート長さ方向の寸法が大となり面的な広がりを持つことになるので、安定な形状となっている。この点でもスペーサ２１は、鉄筋受け部２６に作用したデッキプレート長さ方向の力に対して安定、すなわち倒れに対して安定である。
【００３７】
また、グリップ片部３０の安定部３０ｃは、載置部２９ａ、２９ｂの傾斜方向と反対側に延びている（載置部と安定部のなす角が鋭角である））ので、スペーサ２１は安定である。
また、この形状は、逆の場合（すなわち安定部を載置部の傾斜方向と同じ側に延ばす（載置部と安定部のなす角を鈍角にする））と比べて、積み重ねを密にすることができ、梱包荷姿が小さくなり、運搬に便利である。
なお、安定部の延びる方向は、この実施例では載置部２９ａ、２９ｂの傾斜方向と反対側であるが、載置部の形態によっては必ずしもそのような場合に限定されない。要するに、安定部の延びる方向は、当該鉄筋用スペーサをデッキプレートの山部に取り付けた時に、両側のグリップ片部間隔が拡がることで当該鉄筋用スペーサに発生する山部上面に垂直な軸回りの回転モーメントに対向する向きであればよい。
例えば、両側の載置部をいずれも山部幅方向と平行（デッキプレート長さ方向と直角）に形成した場合には、安定部がカギ部に沿って延びる方向は載置部に対して直角となるが、その場合、安定部はデッキプレート長さ方向の鉄筋受け部側に延ばすとよい。
【実施例２】
【００３８】
なお、両載置部の傾斜方向は、図２とは逆に図９に示したスペーサ２１’のように、両載置部２９ａ’、２９ｂ’を上面から見て山部幅方向に対してそれぞれの脚部２７ａ、２７ｂのある側に傾斜する向きとすることもできる。すなわち、一方の載置部２９ａ’は自分側の脚部２７ａのある側に傾斜（図９で下側に傾斜）させ、他方の載置部２９ｂ’もやはり自分側の脚部２７ｂのある側に傾斜（図９で上側に傾斜）させる。
【実施例３】
【００３９】
また、図１０に示したスペーサ２１”のように、両側の脚部２７ａ”、２７ｂ”を垂直に（したがって互いに平行）にすることもできる。
この場合、鉄筋２３を足で踏んで鉄筋受け部２６に押し込むに際して、デッキプレート２２の上面からの反力を得やすく、踏み込み作業がし易くなる。
【実施例４】
【００４０】
鉄筋受け部のＵ字形の形状は、実施例のようにＵ字形の両辺が内向きに傾斜して開口側が狭まった形状とするものに限らず、Ｕ字形の両辺が平行な形状であってもよい。また、鉄筋受け部の傾斜角度（図１の正面図で表れる傾斜角度）は図示例の角度に限らず、適宜設定することができる。また、鉄筋受け部は図１の正面図で見て直線状をなしているが、図１の正面図で見て上に凸又は下に凸の若干湾曲した形状とすることもできる。
【００４１】
本発明は１本の金属線材を屈曲成形して構成するのが最もメリットがあり効果的であるが、必ずしも全体を１本の金属線材を屈曲成形したものに限定されない。例えば、金属線材で形成した脚部２７ａ、２７ｂ及び鉄筋受け部の部分を、別部材で構成した残りの部分に溶接固定する等の構成とすることを除外しない。
また、実施例では溶接金網を対象とするスペーサとして説明したが、構造部材として機能する狭義の鉄筋を支持する目的に用いることもできる。
【図面の簡単な説明】
【００４２】
【図１】本発明の一実施例の鉄筋用スペーサを示す正面図である。
【図２】図１の鉄筋用スペーサの平面図である。
【図３】図１の鉄筋用スペーサの右側面図である。
【図４】図１の鉄筋用スペーサの斜視図である。
【図５】図１の鉄筋用スペーサを用いてデッキプレート上に溶接金網を配置した状態を示す斜視図である。
【図６】図５の要部の拡大図である。
【図７】図５のＡ矢視拡大図である。
【図８】上記鉄筋用スペーサにおける鉄筋受け部の拡大図（図３の要部拡大図）である。
【図９】鉄筋用スペーサの載置部についての他の実施例を示すもので、鉄筋用スペーサの平面図である。
【図１０】鉄筋用スペーサの脚部についての他の実施例を示すもので、鉄筋用スペーサの右側面図である。
【図１１】従来の鉄筋用スペーサの一例を示す斜視図である。
【図１２】従来の鉄筋用スペーサのさらに他の例を示すもので、（イ）は斜視図、（ロ）は正面図である。
【図１３】従来の鉄筋用スペーサの他の例を示す斜視図である。
【図１４】従来の鉄筋用スペーサのさらに他の例を示す斜視図である
【符号の説明】
【００４３】
２１、２１’、２１”  スペーサ（鉄筋用スペーサ）
２２  デッキプレート
２２ａ  山部
２２ｂ  斜辺部
２２ｃ  カギ部
２３  溶接金網（鉄筋）
２３ａ  鉄筋
２６  鉄筋受け部
２６ａ  Ｕ字形部
２６ｂ  開口部
２７ａ、２７ｂ、２７ａ”、２７ｂ”  脚部
２９ａ、２９ｂ、２９ａ”、２９ｂ”  載置部
３０  グリップ片部
３０ａ  斜め部
３０ｂ  内向き部
３０ｃ  安定部
ｈ  鉄筋受け部のＵ字形の垂直方向の深さ寸法
ｄ  鉄筋径
ｍ  鉄筋受け部のＵ字形の上端開口部内法寸法
ｎ  鉄筋受け部のＵ字形の底部側内法寸法
【図１】
2007162433.tif 000003
【図２】
2007162433.tif 000004
【図３】
2007162433.tif 000005
【図４】
2007162433.tif 000006
【図５】
2007162433.tif 000007
【図６】
2007162433.tif 000008
【図７】
2007162433.tif 000009
【図８】
2007162433.tif 000010
【図９】
2007162433.tif 000011
【図１０】
2007162433.tif 000012
【図１１】
2007162433.tif 000013
【図１２】
2007162433.tif 000014
【図１３】
2007162433.tif 000015
【図１４】
2007162433.tif 000016